(57)【要約】      （修正有）【課題】軽量で搬送が容易であり、持ち運びおよび装飾することが可能であり、着脱可能な装飾部を備えた穴あき型バッグを提供する。【解決手段】穴あき型バッグは、複数の穴１１と、装飾部位および取り付け部位が設けられた装飾部２０と、を備えるバッグ本体１０を有し、装飾部２０は、取り付け部位と穴１１との協働により、バッグ本体１０に着脱可能に取り付けられる。装飾部２０は、穴１１の前方で固定される。バッグ本体１０には、バッグ本体１０の左部、前方部１２、および右部１５の各々に対してジッパー１８を介して連結される底部、背部、および上部カバー部１６が設けられる。当該バッグは、軽量化され、搬送および持ち運びが容易であり、かつ、装飾が施される。ジッパー１８が開かれて、底部、背部、および上部カバー部１６が左部、前方部１２、および右部１５から分離されると、当該バッグが平面状に広げられる。【選択図】図１
0003227525.tif 000002
【実用新案登録請求の範囲】
【請求項１】
着脱可能な装飾部を備える穴あき型バッグであって、
バッグ本体と、前記装飾部と、を有し、
前記バッグ本体には複数の穴が形成されており、
前記装飾部には、装飾部位と取り付け部位が設けられており、
前記装飾部は、前記取り付け部位と前記穴との協働により、前記バッグ本体に着脱可能に取り付けられて、前記穴の前方で固定される、穴あき型バッグ。
【請求項２】
前記取り付け部位には、挿入カラムとクランプが設けられており、
前記挿入カラムは、前記穴の直径よりも小さな厚さを有し、
前記クランプは、前記穴よりも大きく、
前記挿入カラムは、前記装飾部位の背部側に固定された前方端部と、前記クランプ部に固定された背側端部と、を有し、
前記取り付け部の前記挿入カラムが前記穴の一つに挿入されて、前記クランプが対応する前記穴を通り抜けてクランプされることにより、対応する前記穴の前方で前記装飾部位が固定される、請求項１に記載の穴あき型バッグ。
【請求項３】
前記装飾部には、二つの前記取り付け部位が設けられており、
二つの前記取り付け部位の前記挿入カラムの各々は、内側クランプ片を介して互いに連結されており、
前記内側クランプ片は、前記装飾部位により覆われている、請求項１に記載の穴あき型バッグ。
【請求項４】
複数の前記穴は、前記バッグ本体の前方部、左部、右部、上部カバー部、およびストラップの各部において密に形成されている、請求項１に記載の穴あき型バッグ。
【請求項５】
前記バッグ本体の底部、背部、および上部カバー部の各々は、ジッパーを介して、前記バッグ本体の左部、前方部、および右部に対して連結され、
複数の位置決め機構の各々は、前記背部の上側左部と前記左部の上側部との間に、また同様にして、前記背部の上側右部と前記右部の上側部との間に配置されており、
前記ジッパーが締められたとき、前記底部と前記背部の左側部は前記左部に連結され、前記底部と前記背部の右側部は前記右部に連結され、前記左部、前記右部、および前記前方部は、前記上部カバー部により覆われ、前記背部は、複数の前記位置決め機構により、前記左部と前記右部との間で固定され、それにより、当該バッグが構成され、
前記ジッパーが開かれて、複数の前記位置決め機構が解放されたとき、前記底部、前記背部、および前記上部カバー部は、前記左部、前記前方部、および前記右部から分離され、それにより、当該バッグが平面状に広げられる、請求項１に記載の穴あき型バッグ。
【請求項６】
複数の前記位置決め機構の各々は、リボンおよびスナップファスナーにより構成されており、
前記リボンの各々は、前記背部の前記上側左部または前記背部の前記上側右部に固定される端部を有し、
前記スナップファスナーの雄型ファスナーおよび雌型ファスナーの各々は、対応する前記リボンの端部と、前記左部の前記上側部または前記右部の前記上側部に固定される、請求項５に記載の穴あき型バッグ。
【請求項７】
前記ジッパーには、左側ジッパー引手および右側ジッパー引手が設けられる、請求項５に記載の穴あき型バッグ。
【請求項８】
前記バッグ本体は、ＥＶＡにより構成されている、請求項１に記載の穴あき型バッグ。
【考案の詳細な説明】
【技術分野】
【０００１】
本考案は、バックパックに関するものであり、特に、着脱可能な装飾部を備える穴あき型バッグに関する。
【背景技術】
【０００２】
従来、バックパックは、形状を一定に維持することができ、かつ、変形を生じ難くするなどの利点を持つ硬い材料により構成している。しかしながら、一般的に、これらのバッグパックは重く、搬送や持ち運びに不便である。さらに、これらのバッグパックは、折り畳んだり、圧縮したりすることが難しく、その結果、搬送時の収容体積が大きくなり、搬送コストの増加を招く。また、さらに、これらのバッグパックは、柔らかい材料によって形成されたもののように装飾を自由に変更することができないため、これらのバックパックの外観形状は一定のものとなる。
【０００３】
本考案の主目的は、軽量で搬送が容易であり、かつ、持ち運びおよび装飾することが可能であるとともに、着脱可能な装飾部を備える穴あき型バッグを提供することである。
【０００４】
本考案の第２の目的は、着脱可能な装飾部を有し、収容体積および搬送コストを低減するために平面状に広げることができる穴あき型バッグを提供することである。
【０００５】
上記目的を達成するために、本考案では以下に説明する解決手段を採用できる。
【０００６】
着脱可能な装飾部を有する穴あき型バッグは、バッグ本体と、装飾部と、を有する。複数の穴は、バッグ本体に形成されている。装飾部には、装飾部位と取り付け部位が設けられる。装飾部は、取り付け部位と穴との協働により、バッグ本体に取り付けられる。装飾部位は、一つの穴の前方で固定されて、バッグ本体を装飾する。
【考案の概要】
【０００７】
取り付け部位には、挿入カラムとクランプが設けられる。挿入カラムは、穴よりも小さな厚さを有する。クランプは、穴よりも大きい。挿入カラムは、装飾部位の背面に固定された前方端部を有する。取り付け部位の挿入カラムを一つの穴に挿入し、対応する穴を通り抜けるようにしてクランプをクランピングすると、装飾部位は対応する穴の前方に固定される。それにより、装飾部は、バッグ本体に着脱可能に取り付けられる。
【０００８】
装飾部には、二つの取り付け部位が設けられる。二つの取り付け部位の挿入カラムの各々は、内側クランプ片を介して連結される。内側クランプ片は、装飾部位により覆われている。
【０００９】
穴は、バッグ本体の前方部、左部、右部、上部カバー、およびストラップの各部において密に形成されている。
【００１０】
バッグ本体の底部、背部、および上部カバーの各々は、ジッパーを介してバッグ本体の左部、前方部、および右部に連結されている。複数の位置決め機構の各々は、背部の上側左部と左部の上側部との間に、また同様にして、背部の上側右部と右部の上側部との間に配置されている。ジッパーが締められているとき、背部の底部と左側部は左部に連結され、背部の底部と右側部は右部に連結され、左部、右部、および前方部は上部カバー部により覆われ、背部は、複数の位置決め機構により、左部と右部との間で固定される。それにより、穴あき型バッグが構成される。ジッパーが開かれて、複数の位置決め機構が解放されたとき、底部、背部、および上部カバー部は、左部、前方部、および右部から分離される。それにより、バッグは、平面状に広げられる。
【００１１】
複数の位置決め機構の各々は、リボンおよびスナップファスナーにより構成されている。リボンの一端部は、背部の上側左部または上側右部に固定されており、スナップファスナーの雄型ファスナーおよび雌型ファスナーの各々は、リボンの他端部と、左部または右部の上側部に固定されている。
【００１２】
ジッパーには、左側ジッパー引手および右側ジッパー引手が設けられる。
【００１３】
バッグ本体は、ＥＶＡにより構成されるため、バッグは、軽量かつ柔軟であり、可塑性に優れ、さらに搬送および持ち運びに優れている。
【００１４】
穴が設けられたバッグ本体を解決手段として採用することにより、バッグは、軽量であり、搬送および持ち運びに優れたものとなる。さらに、装飾部は、バッグ本体を装飾するために、穴を介して、取り付けおよび取り外しを便利に行うことができ、かつ、バックパックの外観形状を多彩なものとすることができる。さらに、バッグ本体の底部、背部、おおび上部カバー部は、ジッパーを介して、バッグ本体の左部、前方部、および右部に連結される。そのため、バッグは、平面状に広げられる。それにより、体積を非常に小さいくすることができ、かつ、搬送コストをより一層低減させることができる。
【図面の簡単な説明】
【００１５】
【図１】図１は、本考案の斜視図である。
【図２】図２は、本考案の一部を拡大して示す斜視図である。
【図３】図３は、本考案を広げた状態を示す図である（装飾部は除く）。
【考案を実施するための形態】
【００１６】
＜符号の説明＞
バッグ本体１０、穴１１、前方部１２、背部１３、ストラップ１３１、左部１４、右部１５、上部カバー部１６、底部１７、ジッパー１８、ジッパー引手１８１、位置決め機構１９、リボン１９１、雄ファスナー１９２、雌ファスナー１９３、装飾部２０、装飾部位２１、取り付け部位２２、挿入カラム２２１、クランプ２２２、内側クランプ片２３。
【００１７】
図１−３に示すように、本考案は、着脱可能な装飾部を備える穴あき型バッグである。着脱可能な装飾部を備える穴あき型バッグは、バッグ本体１０と、装飾部２０と、を備える。
【００１８】
バッグ本体１０には複数の穴１１が形成されている。具体的には、各図に示されるように、穴１１は、バッグ本体１０の前方部１２、左部１４、右部１５、上部カバー部１６、およびストラップ１３１の各部において密に形成されている。背部１３および底部１７には、穴部を設けてもよいし、設けなくてもよい。穴あき型バッグは、穴部が設けられることにより、軽量化され、かつ、搬送および持ち運びに便利である。また、ストラップ１３１に形成された穴１１により通気性が向上している。ただし、バッグ本体１０は、図面により表される形状に限定されず、製品デザインに応じて様々な形状に変更することができる。例えば、バッグ本体１０は、ハンドバッグやトロリーケース等に変更することも可能である。また、バッグ本体１０は、バックパックの携帯性を向上させるために、ＥＶＡにより構成することが可能である。
【００１９】
装飾部２０には、装飾部位２１と、取り付け部位２２が設けられている。装飾部２０は、取り付け部位２２と穴１１の協働により、バッグ本体１０に着脱可能に取り付けることができる。ユーザーは、バックパックの外観形状を多彩なものとするために、個人の好みに応じて、個別の装飾部２０を選択することができる。本考案の取り付け部位２２には、装飾部２０の着脱を簡便にするために、挿入カラム２２１とクランプ２２２が設けられている。挿入カラム２２１は、穴１１の直径よりも小さな厚さを有する。クランプ２２２は、穴１１よりも大きい。挿入カラム２２１の前方端部は装飾部位２１の背部に固定されており、挿入カラム２２１の背側端部はクランプ２２２に連結されている。取り付け部位２２の挿入カラム２２１を穴の一つに挿入し、クランプ２２２が対応する穴１１を通り抜けてクランプされると、装飾部位２１は対応する穴１１の前方に固定される。これにより、装飾部２０は、着脱可能にバッグ本体１０に取り付けられる。大きなサイズの装飾部２０の場合、二つ（または二つ以上）の取り付け部位２２を設けることができる。二つの取り付け部位２２の挿入カラム２２１の各々は、内側クランプ片２３を介して連結される。内側クランプ片２３は、装飾部位２１により覆われる。また、内側クランプ片２３は、より好適に装飾部位２１を支持することにより、装飾効果を維持する。
【００２０】
さらに、バッグ本体１０の底部１７、背部１３、および上部カバー部１６は、ジッパー１８を介して、バッグ本体１０の左部１４、前方部１２、および右部１５に連結されている。ジッパー１８には、開閉を簡便にするために、左側ジッパー引手１８１と右側ジッパー１８１が設けられている。一の位置決め機構１９は、背部１３の上側左部と左部１４の上側部との間に設けられている。他の位置決め機構１９は、背部１３の上側右部と右部１５の上側部との間に設けられている。複数の位置決め機構１９は、バッグの背部１３、左部１４、および右部１５を固定するために使用される。各位置決め機構１９は、具体的には、リボン１９１とスナップファスナー（雄型ファスナー１９２と雌型ファスナー１９３を含む）により構成することができる。リボン１９１の一端部１９１は、背部１３の右側（または左側）に固定することができる。スナップファスナーの雌型ファスナー１９３は、リボン１９１の他端部に固定することができる。雄型ファスナー１９２は、左部１４（または右部１５）の上側部に固定することができる。
【００２１】
ジッパー１８が締められると、底部１７と背部１３の左側部が左部１４に連結され、底部１７と背部１３の右側部が右部１５に連結され、左部１４、右部１５、および前方部１２は、上部カバー部１６により覆われ、背部１３は、位置決め機構１９により、左部１４と右部１５の間で固定される。それにより、穴あき型バッグは、図１に示すように、物品を保持可能に構成される。
【００２２】
ジッパー１８が開かれて、位置決め機構１９が解放されると、底部１７、背部１３、および上部カバー部１６が左部１４、前方部１２、および右部１５から分離する。それにより、バッグは、図３に示すように、平面状に広げられる。そして、体積が非常に低減され、かつ、搬送コストがより一層低減される。
【図１】
0003227525.tif 000003
【図２】
0003227525.tif 000004
【図３】
0003227525.tif 000005
【手続補正書】
【提出日】令和2年5月26日(2020.5.26)
【手続補正１】
【補正対象書類名】実用新案登録請求の範囲
【補正対象項目名】請求項２
【補正方法】変更
【補正の内容】
【請求項２】
前記取り付け部位には、挿入カラムとクランプが設けられており、
前記挿入カラムは、前記穴の直径よりも小さな厚さを有し、
前記クランプは、前記穴よりも大きく、
前記挿入カラムは、前記装飾部位の背部側に固定された前方端部と、前記クランプに固定された背側端部と、を有し、
前記取り付け部位の前記挿入カラムが前記穴の一つに挿入されて、前記クランプが対応する前記穴を通り抜けてクランプされることにより、対応する前記穴の前方で前記装飾部位が固定される、請求項１に記載の穴あき型バッグ。
【手続補正２】
【補正対象書類名】実用新案登録請求の範囲
【補正対象項目名】請求項３
【補正方法】変更
【補正の内容】
【請求項３】
前記装飾部には、二つの前記取り付け部位が設けられており、
二つの前記取り付け部位の前記挿入カラムの各々は、内側クランプ片を介して互いに連結されており、
前記内側クランプ片は、前記装飾部位により覆われている、請求項２に記載の穴あき型バッグ。